(57)【要約】【課題】超高域を含む音声データの再生を、音質の低減を抑制しながらより安全に行うことができるようにする。【解決手段】オーディオ信号を直交変換する変換部と、前記変換部により直交変換された前記オーディオ信号を解析し、超高域の定常的な信号成分を推定する解析部と、前記オーディオ信号に対して、前記解析部の解析により推定された前記超高域の前記定常的な信号成分を低減させる信号処理を行う信号処理部とを備える。本開示は、例えば、音声データの再生装置に適用することができる。【選択図】図２
2015149690.tif 000002
【特許請求の範囲】
【請求項１】
オーディオ信号を直交変換する変換部と、
前記変換部により直交変換された前記オーディオ信号を解析し、超高域の定常的な信号成分を推定する解析部と、
前記オーディオ信号に対して、前記解析部の解析により推定された前記超高域の前記定常的な信号成分を低減させる信号処理を行う信号処理部と
を備える信号処理装置。
【請求項２】
前記超高域は、可聴帯域よりも高域である
請求項１に記載の信号処理装置。
【請求項３】
前記定常的な信号成分は、高域に向かってレベル増加する成分である
請求項１に記載の信号処理装置。
【請求項４】
前記定常的な信号成分は、可聴帯域の信号成分の倍音成分を含まない成分である
請求項１に記載の信号処理装置。
【請求項５】
前記信号処理部は、スペクトルサブトラクションにより前記超高域の前記定常的な信号成分を低減させる
請求項１に記載の信号処理装置。
【請求項６】
前記信号処理部は、ウィナーフィルタにより前記超高域の前記定常的な信号成分を低減させる
請求項１に記載の信号処理装置。
【請求項７】
前記変換部は、前記オーディオ信号に対して高速フーリエ変換を行う
請求項１に記載の信号処理装置。
【請求項８】
前記オーディオ信号を前記超高域の信号成分と前記超高域以外の信号成分とに帯域分割する帯域分割部と、
前記信号処理部により前記超高域の前記定常的な信号成分が低減された前記オーディオ信号を、前記帯域分割部により前記オーディオ信号が帯域分割されて得られた前記オーディオ信号の前記超高域以外の信号成分と合成する合成部と
をさらに備え、
前記変換部は、前記帯域分割部により前記オーディオ信号が帯域分割されて得られた前記オーディオ信号の前記超高域の信号成分を直交変換し、
前記解析部は、前記変換部により直交変換された前記オーディオ信号の前記超高域の信号成分を解析し、前記超高域の前記定常的な信号成分を推定し、
前記信号処理部は、前記帯域分割部により前記オーディオ信号が帯域分割されて得られた前記オーディオ信号の前記超高域の信号成分に対して、前記解析部の解析により推定された前記超高域の前記定常的な信号成分を低減させる信号処理を行い、
前記合成部は、前記信号処理部により前記超高域の前記定常的な信号成分が低減された前記オーディオ信号の前記超高域の信号成分を、前記帯域分割部により前記オーディオ信号が帯域分割されて得られた前記オーディオ信号の前記超高域以外の信号成分と合成する
請求項１に記載の信号処理装置。
【請求項９】
前記帯域分割部は、前記オーディオ信号から前記超高域の信号成分を抽出するハイパスフィルタと、前記オーディオ信号から前記超高域以外の信号成分を抽出するローパスフィルタとを有する
請求項８に記載の信号処理装置。
【請求項１０】
前記信号処理部により前記超高域の前記定常的な信号成分が低減された前記オーディオ信号から前記超高域以外の信号成分を除去するハイパスフィルタをさらに備え、
前記合成部は、前記ハイパスフィルタにより前記超高域以外の信号成分が除去された前記オーディオ信号を、前記帯域分割部により前記オーディオ信号が帯域分割されて得られた前記オーディオ信号の前記超高域以外の信号成分と合成する
請求項８に記載の信号処理装置。
【請求項１１】
前記信号処理部は、前記オーディオ信号の増幅量に応じて、前記超高域の前記定常的な信号成分を低減させる
請求項１に記載の信号処理装置。
【請求項１２】
前記信号処理部は、前記オーディオ信号の増幅量に応じたカットオフ周波数を有するローパスフィルタにより前記超高域の前記定常的な信号成分を低減させる
請求項１１に記載の信号処理装置。
【請求項１３】
前記信号処理部は、カット周波数以上の帯域において前記オーディオ信号の増幅量に応じた傾きの周波数特性を有するローパスフィルタにより前記超高域の前記定常的な信号成分を低減させる
請求項１１に記載の信号処理装置。
【請求項１４】
前記信号処理部は、前記オーディオ信号の増幅量に応じたゲインを有するTSF（Treble Shelving Filter）により前記超高域の前記定常的な信号成分を低減させる
請求項１１に記載の信号処理装置。
【請求項１５】
前記信号処理部は、前記超高域に対して前記オーディオ信号の増幅量に応じたスレッショルドを有するリミッタにより前記超高域の前記定常的な信号成分を低減させる
請求項１１に記載の信号処理装置。
【請求項１６】
前記解析部は、前記オーディオ信号の、前記オーディオ信号の再生時間の内、所定の一部の時間に相当する部分データを解析し、前記超高域の前記定常的な信号成分を推定する
請求項１に記載の信号処理装置。
【請求項１７】
前記解析部は、前記オーディオ信号の、前記オーディオ信号の再生時間の先頭の前記一部の時間に相当する部分データを解析し、前記超高域の前記定常的な信号成分を推定する
請求項１６に記載の信号処理装置。
【請求項１８】
前記解析部は、前記オーディオ信号の、前記オーディオ信号の再生時間の途中の前記一部の時間に相当する部分データを解析し、前記超高域の前記定常的な信号成分を推定し、
前記信号処理部は、必要な場合のみ、低減させる前記定常的な信号成分を、前記解析部の最新の解析結果に応じて更新する
請求項１６に記載の信号処理装置。
【請求項１９】
前記信号処理部により前記超高域の前記定常的な信号成分が低減された前記オーディオ信号を符号化する符号化部をさらに備える
請求項１に記載の信号処理装置。
【請求項２０】
オーディオ信号を直交変換し、
直交変換された前記オーディオ信号を解析し、超高域の定常的な信号成分を推定し、
前記オーディオ信号に対して、推定された前記超高域の前記定常的な信号成分を低減させる信号処理を行う
信号処理方法。
【発明の詳細な説明】
【技術分野】
【０００１】
本開示は信号処理装置および方法に関し、特に、超高域を含む音声データの再生を、音質の低減を抑制しながらより安全に行うことができるようにした信号処理装置および方法に関する。
【背景技術】
【０００２】
近年、一般的に可聴帯域と称される周波数帯よりも高域の周波数帯（例えば20kHz以上）である超高域の信号成分を含む音声データ（所謂、ハイレゾリューション（High-Resolution）のデータ）（以下、ハイレゾデータと称する）が普及しつつある。
【０００３】
この、超高域には、例えばノイズシェイパ等により形成される雑音成分が多く含まれる場合がある。このような超高域の雑音はユーザに聴こえ難いため、ユーザは、可聴帯域の再生音量に基づいて音量調整を行う可能性が高い。そのため、超高域の雑音の再生音量が過度に増大し、アンプやスピーカ等の再生デバイスに過度な負荷を与え、故障等の原因となるおそれがあった。
【０００４】
そこで、より安全に再生を行うために、再生時の信号増幅（ゲイン）を抑制することが考えられる。例えば、自己相関を利用して入力信号が雑音であるかオーディオデータであるかを判定し、雑音と判定した場合はゲインを下げる方法があった（例えば、特許文献１参照）。
【先行技術文献】
【特許文献】
【０００５】
【特許文献１】特開２００８−５４３１９４号公報
【発明の概要】
【発明が解決しようとする課題】
【０００６】
しかしながら、特許文献１に記載の方法の場合、オーディオデータと雑音の両方が含まれるような入力信号を雑音と判定すると、オーディオデータのゲインまで下げられてしまい、再生時の音質が低減するおそれがあった。また、全帯域のゲインが下げられるため、再生時の音質が低減するおそれがあった。
【０００７】
本開示は、このような状況に鑑みてなされたものであり、超高域を含む音声データの再生を、音質の低減を抑制しながらより安全に行うことができるようにするものである。
【課題を解決するための手段】
【０００８】
本技術の一側面の信号処理装置は、オーディオ信号を直交変換する変換部と、前記変換部により直交変換された前記オーディオ信号を解析し、超高域の定常的な信号成分を推定する解析部と、前記オーディオ信号に対して、前記解析部の解析により推定された前記超高域の前記定常的な信号成分を低減させる信号処理を行う信号処理部とを備える信号処理装置である。
【０００９】
前記超高域は、可聴帯域よりも高域である。
【００１０】
前記定常的な信号成分は、高域に向かってレベル増加する成分である。
【００１１】
前記定常的な信号成分は、可聴帯域の信号成分の倍音成分を含まない成分である。
【００１２】
前記信号処理部は、スペクトルサブトラクションにより前記超高域の前記定常的な信号成分を低減させることができる。
【００１３】
前記信号処理部は、ウィナーフィルタにより前記超高域の前記定常的な信号成分を低減させることができる。
【００１４】
前記変換部は、前記オーディオ信号に対して高速フーリエ変換を行うことができる。
【００１５】
前記オーディオ信号を前記超高域の信号成分と前記超高域以外の信号成分とに帯域分割する帯域分割部と、前記信号処理部により前記超高域の前記定常的な信号成分が低減された前記オーディオ信号を、前記帯域分割部により前記オーディオ信号が帯域分割されて得られた前記オーディオ信号の前記超高域以外の信号成分と合成する合成部とをさらに備え、前記変換部は、前記帯域分割部により前記オーディオ信号が帯域分割されて得られた前記オーディオ信号の前記超高域の信号成分を直交変換し、前記解析部は、前記変換部により直交変換された前記オーディオ信号の前記超高域の信号成分を解析し、前記超高域の前記定常的な信号成分を推定し、前記信号処理部は、前記帯域分割部により前記オーディオ信号が帯域分割されて得られた前記オーディオ信号の前記超高域の信号成分に対して、前記解析部の解析により推定された前記超高域の前記定常的な信号成分を低減させる信号処理を行い、前記合成部は、前記信号処理部により前記超高域の前記定常的な信号成分が低減された前記オーディオ信号の前記超高域の信号成分を、前記帯域分割部により前記オーディオ信号が帯域分割されて得られた前記オーディオ信号の前記超高域以外の信号成分と合成することができる。
【００１６】
前記帯域分割部は、前記オーディオ信号から前記超高域の信号成分を抽出するハイパスフィルタと、前記オーディオ信号から前記超高域以外の信号成分を抽出するローパスフィルタとを有することができる。
【００１７】
前記信号処理部により前記超高域の前記定常的な信号成分が低減された前記オーディオ信号から前記超高域以外の信号成分を除去するハイパスフィルタをさらに備え、前記合成部は、前記ハイパスフィルタにより前記超高域以外の信号成分が除去された前記オーディオ信号を、前記帯域分割部により前記オーディオ信号が帯域分割されて得られた前記オーディオ信号の前記超高域以外の信号成分と合成することができる。
【００１８】
前記信号処理部は、前記オーディオ信号の増幅量に応じて、前記超高域の前記定常的な信号成分を低減させることができる。
【００１９】
前記信号処理部は、前記オーディオ信号の増幅量に応じたカットオフ周波数を有するローパスフィルタにより前記超高域の前記定常的な信号成分を低減させることができる。
【００２０】
前記信号処理部は、カット周波数以上の帯域において前記オーディオ信号の増幅量に応じた傾きの周波数特性を有するローパスフィルタにより前記超高域の前記定常的な信号成分を低減させることができる。
【００２１】
前記信号処理部は、前記オーディオ信号の増幅量に応じたゲインを有するTSF（Treble Shelving Filter）により前記超高域の前記定常的な信号成分を低減させることができる。
【００２２】
前記信号処理部は、前記超高域に対して前記オーディオ信号の増幅量に応じたスレッショルドを有するリミッタにより前記超高域の前記定常的な信号成分を低減させることができる。
【００２３】
前記解析部は、前記オーディオ信号の、前記オーディオ信号の再生時間の内、所定の一部の時間に相当する部分データを解析し、前記超高域の前記定常的な信号成分を推定することができる。
【００２４】
前記解析部は、前記オーディオ信号の、前記オーディオ信号の再生時間の先頭の前記一部の時間に相当する部分データを解析し、前記超高域の前記定常的な信号成分を推定することができる。
【００２５】
前記解析部は、前記オーディオ信号の、前記オーディオ信号の再生時間の途中の前記一部の時間に相当する部分データを解析し、前記超高域の前記定常的な信号成分を推定し、前記信号処理部は、必要な場合のみ、低減させる前記定常的な信号成分を、前記解析部の最新の解析結果に応じて更新することができる。
【００２６】
前記信号処理部により前記超高域の前記定常的な信号成分が低減された前記オーディオ信号を符号化する符号化部をさらに備えることができる。
【００２７】
本技術の一側面の信号処理方法は、オーディオ信号を直交変換し、直交変換された前記オーディオ信号を解析し、超高域の定常的な信号成分を推定し、前記オーディオ信号に対して、推定された前記超高域の前記定常的な信号成分を低減させる信号処理を行う信号処理方法である。
【００２８】
本技術の一側面においては、オーディオ信号が直交変換され、直交変換されたオーディオ信号が解析され、超高域の定常的な信号成分が推定され、オーディオ信号に対して、推定された超高域の定常的な信号成分を低減させる信号処理が行われる。
【発明の効果】
【００２９】
本開示によれば、信号を処理することができる。特に、超高域を含む音声データの再生を、音質の低減を抑制しながらより安全に行うことができる。
【図面の簡単な説明】
【００３０】
【図１】信号波形の例を説明する図である。
【図２】再生装置の主な構成例を示すブロック図である。
【図３】再生処理の流れの例を説明するフローチャートである。
【図４】解析処理の流れの例を説明するフローチャートである。
【図５】信号処理の様子の例を説明する図である。
【図６】解析処理の流れの例を説明するフローチャートである。
【図７】処理実行タイミングの例を説明する図である。
【図８】再生装置の他の構成例を示すブロック図である。
【図９】送信装置の主な構成例を示すブロック図である。
【図１０】受信装置の主な構成例を示すブロック図である。
【図１１】帯域別コンプレッサの例を説明する図である。
【図１２】再生装置の主な構成例を示すブロック図である。
【図１３】再生処理の流れの例を説明するフローチャートである。
【図１４】制御の例を説明する図である。
【図１５】制御の例を説明する図である。
【図１６】解析処理の流れの例を説明するフローチャートである。
【図１７】ボリューム制御データベースの例を示す図である。
【図１８】解析処理の流れの例を説明するフローチャートである。
【図１９】コンピュータの主な構成例を示すブロック図である。
【発明を実施するための形態】
【００３１】
以下、本開示を実施するための形態（以下実施の形態とする）について説明する。なお、説明は以下の順序で行う。
１．第１の実施の形態（再生装置）
２．第２の実施の形態（再生装置）
３．第３の実施の形態（送信装置）
４．第４の実施の形態（再生装置）
５．第５の実施の形態（コンピュータ）
【００３２】
＜１．第１の実施の形態＞
＜ハイレゾデータの再生＞
近年、一般的に可聴帯域と称される周波数帯よりも高域の周波数帯（例えば20kHz以上）である超高域の信号成分を含む音声データ（所謂、ハイレゾリューション（High-Resolution）のデータ）（以下、ハイレゾデータと称する）が普及しつつある。
【００３３】
例えば、音楽データも、インターネット等の通信環境の拡充により、従来のオーディオCD（Compact Disc）のフォーマットよりもサンプリング周波数・量子化ビット数を上回るハイレゾデータとしてダウンロード・購入し、PC（Personal Computer）やUSB-DAC（Universal Serial Bus - Digital Analog Converter）等の専用機器を使って、ユーザがより高音質な音楽再生を楽しめる機会が増えてきた。
【００３４】
このようなハイレゾデータに含まれる超高域には、本来の楽曲等の音声以外にも、例えば、音源を録音する際の録音機器のADC（Analog Digital Converter）由来の雑音等が含まれている。特に、所謂1bitADC(ΔΣ型)が使用された場合、ノイズシェイパによって可聴帯域の雑音成分を超高域に移し、可聴帯域のSN比を改善させることが必須となっている。そのため、このような方法で生成されたハイレゾデータには、超高域にノイズシェイパによる雑音が多く含まれる場合がある。
【００３５】
図１に、ハイレゾデータ（Fs192kHz）の周波数解析結果の例を示す。図１Ａ乃至Ｃは、それぞれ、互いに異なる音楽データの解析結果であるが、いずれのデータにも、20kHz以上の超高域に、ほとんど時間的な変化のない、定常的な雑音が含まれている（楕円で囲んだ部分）。それ以外の部分（特に20kHz以下の可聴帯域）は、主に本来の音声信号により構成されており、時々刻々とそのスペクトルが変化する。
【００３６】
これらのハイレゾデータは、録音の際に1bitADCが用いられており、上述した定常的な雑音（楕円で囲んだ部分）は、主にその1bitADCに搭載されたノイズシェイパによって形成されたものである。従って、この雑音の量や周波数特性の傾きは、そのADCに依存する。
【００３７】
図１Ａ乃至図１Ｃに示されるように、この雑音は、周波数が高くなるほど大きくなっており、実際の自然界における雑音成分が周波数とともに減っていくのに対して明らかに不自然である。また、この雑音によって、実際の可聴帯域内の音楽・楽器信号に対する倍音が埋もれてしまうこともある。
【００３８】
つまり、ハイレゾデータの超高域には、ノイズシェイパ等による不要な定常的な雑音と、目的とする音源からの可聴帯域以上の音が混在する場合がある。
【００３９】
このような超高域の雑音の問題点は、再生時にユーザに聴こえ難いことである。そのため、ユーザは、この雑音の再生音量を気にすることなく、可聴帯域の再生音量に基づいて音量調整（ゲイン調整）を行う可能性が高い。そのため、超高域の雑音の再生音量が過度に増大し、アンプやスピーカ等の再生デバイスに過度な負荷を与え、故障等の原因となるおそれがあった。
【００４０】
特に、図１Ｂの例の場合、超高域の雑音の信号レベルが、可聴帯域の信号レベルよりも大きい。したがって、可聴帯域の信号レベルに合わせて音量調整（ゲイン調整）が行われると、超高域の雑音の音量はさらに大きなものとなり、再生機器への負荷が非常に増大するものとなるおそれがあった。
【００４１】
そこで、より安全に再生を行うために、再生時の信号増幅（ゲイン）を抑制することが考えられる。しかしながら、例えば、単純に、超高域をカット若しくは抑制すると、ハイレゾコンテンツの再生に対する本来の意味を失うことになる。
【００４２】
また、例えば特許文献１には、自己相関を利用して入力信号が雑音であるかオーディオデータであるかを判定し、雑音と判定した場合はゲインを下げる方法が記載されている。
【００４３】
しかしながら、特許文献１に記載の方法の場合、オーディオデータと雑音の両方が含まれるような入力信号を雑音と判定すると、オーディオデータのゲインまで下げられてしまい、再生時の音質が低減するおそれがあった。また、全帯域のゲインが下げられるため、再生時の音質が低減するおそれがあった。
【００４４】
＜超高域の定常定期な信号成分の推定と低減＞
そこで、超高域を含む音声データの再生を、音質の低減を抑制しながらより安全に行うことができるようにするために、直交変換されたオーディオ信号を解析し、超高域の定常的な信号成分を推定し、オーディオ信号に対して、推定された超高域の定常的な信号成分を低減させる信号処理を行うようにする。
【００４５】
＜再生装置＞
図２は、本技術を適用して信号処理装置の一実施の形態である再生装置の主な構成例を示すブロック図である。図２に示される再生装置１００は、ハイレゾデータ（音声データ）を再生し、出力する装置である。
【００４６】
図２に示されるように、再生装置１００は、記憶部１０１、周波数軸変換部１０２、超高域定常的雑音解析部１０３、ディレイバッファ１０４、超高域定常的雑音低減部１０５、DAC１０６、増幅部１０７、およびスピーカ１０８を有する。
【００４７】
記憶部１０１は、例えば、ハードディスク、フラッシュメモリ、または光ディスク等の任意の記録媒体を有し、デジタルデータのハイレゾデータ（以下、デジタルハイレゾデータとも称する）を記憶する。再生されるデジタルハイレゾデータは、この記憶部１０１から読み出され、周波数軸変換部１０２およびディレイバッファ１０４に供給される。
【００４８】
周波数軸変換部１０２は、例えばCPU（Central Processing Unit）、ROM（Read Only Memory）、RAM（Random Access Memory）等よりなり、供給されるデジタルハイレゾデータをフーリエ変換（例えば、高速フーリエ変換（FFT（Fast Fourier Transform）））し、周波数スペクトルを生成する。周波数軸変換部１０２は、その周波数スペクトルを超高域定常的雑音解析部１０３に供給する。また、ここではCPUと表記しているが、演算自体はMPU（Micro Processing Unit）やDSP（Digital Signal Processor）でも良い。
【００４９】
超高域定常的雑音解析部１０３は、例えばCPU、ROM、RAM等よりなり、その周波数スペクトルを解析し、超高域の定常的な雑音を推定する。超高域定常的雑音解析部１０３は、その解析結果を超高域定常的雑音低減部１０５に供給する。
【００５０】
以上の解析を信号処理前に終了させるために、ディレイバッファ１０４は、供給されたデジタルハイレゾデータを一時的に保持し、再生タイミングを遅延させる。ディレイバッファ１０４は、デジタルハイレゾデータを所定時間保持した後、超高域定常的雑音低減部１０５に供給する。
【００５１】
超高域定常的雑音低減部１０５は、例えばCPU、ROM、RAM等よりなり、超高域定常的雑音解析部１０３から供給される解析結果に従って、ディレイバッファ１０４から供給されるデジタルハイレゾデータに対して、そのデジタルハイレゾデータに含まれる超高域の定常的な雑音を低減させる信号処理を行う。
【００５２】
例えば、超高域定常的雑音低減部１０５は、スペクトルサブトラクションをベースとする手法や、ウィナー（Wiener）フィルタ等を用いて、超高域の定常的な雑音を低減させる。スペクトルサブトラクションは、雑音が定常であることを利用して推定した雑音を音声信号から除去する手法である。このスペクトルサブトラクションを用いる場合、超高域定常的雑音低減部１０５は、まず周波数軸上にデジタルハイレゾデータをFFT等で展開し、周波数軸上で参照されるノイズ特性分布を減算処理した後、フーリエ逆変換（例えば、高速フーリエ逆変換（IFFT（Inverse Fast Fourier Transform）））等で時間軸に戻す。つまり音楽信号が処理される最初の時点において、参照(減算)されるべき「ノイズ特性」が確定されている必要がある。このため、超高域定常的雑音解析部１０３が、超高域定常的雑音低減部１０５に対してデジタルハイレゾデータをある程度の先読みすることができるように、超高域定常的雑音低減部１０５の前にディレイバッファ１０４が設けられている。
【００５３】
超高域定常的雑音低減部１０５は、信号処理後のデジタルハイレゾデータをDAC１０６に供給する。
【００５４】
DAC１０６は、供給されるデジタルハイレゾデータをD/A変換し、アナログ信号の音声信号（以下において、オーディオ信号とも称する）として増幅部１０７に供給する。増幅部１０７は、供給されるオーディオ信号を増幅し、スピーカ１０８に供給する。スピーカ１０８は、供給されるオーディオ信号を物理振動に変換し、音声や音楽等の音として出力する。
【００５５】
＜再生処理の流れ＞
以上のような構成の再生装置１００が実行する処理について説明する。最初に、再生装置１００が実行する再生処理の流れの例を、図３のフローチャートを参照して説明する。
【００５６】
再生処理が開始されると、周波数軸変換部１０２および超高域定常的雑音解析部１０３は、ステップＳ１０１において、再生するデジタルハイレゾデータに含まれる超高域の定常的な雑音の解析を行う。
【００５７】
ステップＳ１０２において、ディレイバッファ１０４は、記憶部１０１からその再生するデジタルハイレゾデータを読み出す。ディレイバッファ１０４は、読み出したデジタルハイレゾデータを一時的に保持し、ステップＳ１０１の処理が終了するまで遅延させる。
【００５８】
ステップＳ１０１の処理が終了した後に、ステップＳ１０３において、超高域定常的雑音低減部１０５は、ステップＳ１０１の解析結果に基づいて、例えばスペクトルサブトラクション等の信号処理により、デジタルハイレゾデータに含まれる超高域の定常的な雑音を低減させる。
【００５９】
ステップＳ１０４において、DAC１０６は、ステップＳ１０３において超高域の定常的な雑音が低減されたデジタルハイレゾデータをD/A変換し、アナログのオーディオ信号を生成する。
【００６０】
ステップＳ１０５において、増幅部１０７は、そのオーディオ信号を所定のゲインで増幅する。
【００６１】
ステップＳ１０６において、スピーカ１０８は、オーディオ信号を音声として出力する。
【００６２】
ステップＳ１０６の処理が終了すると、再生処理が終了する。
【００６３】
＜解析処理の流れ＞
次に、図４のフローチャートを参照して、図３のステップＳ１０１において実行される解析処理の流れの例を説明する。必要に応じて、図５を参照して説明する。
【００６４】
解析処理が開始されると、ステップＳ１１１において、周波数軸変換部１０２は、再生するデジタルハイレゾデータを記憶部１０１から読み出す。ステップＳ１１２において、周波数軸変換部１０２は、その読み出したデジタルハイレゾデータをフーリエ変換する。
【００６５】
ステップＳ１１３において、超高域定常的雑音解析部１０３は、周波数軸上でスムージングを行う。
【００６６】
ステップＳ１１４において、超高域定常的雑音解析部１０３は、以上のようにして得られた複数時刻の周波数軸データ（周波数スペクトル）の超高域成分を用いて、超高域の定常的雑音を推定する。
【００６７】
例えば、図５Ａおよび図５Ｂのような複数時刻の周波数スペクトル間で、各周波数のスペクトルを平均化し、図５Ｃに示されるような超高域の定常的な成分（図５Ｃの斜線部分）を雑音として推定する。
【００６８】
ステップＳ１１４の処理が終了すると、解析処理が終了し、処理は図３に戻る。
【００６９】
超高域定常的雑音低減部１０５がこの解析結果を用いて、再生するハイレゾデータに対して信号処理を行うことにより、図５Ｄに示されるように、デジタルハイレゾデータに含まれるこの定常的な雑音が低減される。
【００７０】
したがって再生装置１００は、超高域の定常的な雑音が低減されたオーディオ信号を増幅して出力することができるので、超高域の雑音の過大音圧によるスピーカやアンプへの過大な負荷を抑制することができる。つまり、超高域を含む音声データの再生をより安全に行うことができる。また、超高域においても、本来存在していたエネルギー成分は残し、本来不要な雑音を推定して低減させるので、再生装置１００は、音質の低減を抑制しながら再生することができる。
【００７１】
つまり、本技術を適用した信号処理装置は、例えば上述した周波数軸変換部１０２のようにオーディオ信号を直交変換する変換部と、例えば上述した超高域定常的雑音解析部１０３のようにその変換部により直交変換されたオーディオ信号を解析し、超高域の定常的な信号成分を推定する解析部と、例えば上述した超高域定常的雑音低減部１０５のようにオーディオ信号に対して、解析部の解析により推定された超高域の定常的な信号成分を低減させる信号処理を行う信号処理部とを備えるので、再生装置１００と同様に、超高域を含む音声データの再生を、音質の低減を抑制しながらより安全に行うことができる。
【００７２】
また、本技術を適用した信号処理方法は、例えば上述した周波数軸変換部１０２のようにオーディオ信号を直交変換し、例えば上述した超高域定常的雑音解析部１０３のように直交変換されたオーディオ信号を解析し、超高域の定常的な信号成分を推定し、例えば上述した超高域定常的雑音低減部１０５のようにオーディオ信号に対して、推定された超高域の定常的な信号成分を低減させる信号処理を行うので、再生装置１００と同様に、超高域を含む音声データの再生を、音質の低減を抑制しながらより安全に行うことができる。
【００７３】
なお、上述したように、この超高域は、例えば、可聴帯域よりも高域であるようにしてもよい。また、定常的な信号成分は、例えば、高域に向かってレベル増加する成分であるようにしてもよい。さらに、上述したように、信号処理部は、スペクトルサブトラクションにより超高域の定常的な信号成分を低減させるようにしてもよいし、ウィナーフィルタにより超高域の定常的な信号成分を低減させるようにしてもよい。また、上述したように、変換部は、オーディオ信号に対して高速フーリエ変換を行うようにしてもよい。
【００７４】
＜解析処理の流れ＞
また、定常的な信号成分は、可聴帯域の信号成分の倍音成分を含まない成分であるようにしてもよい。つまり、低減させる雑音から可聴帯域の信号成分の倍音成分を除去するようにしてもよい。
【００７５】
その場合の、解析処理の流れの例を図６のフローチャートを参照して説明する。図６のフローチャートに示されるように、この場合も、ステップＳ１２１乃至ステップＳ１２４の各処理は、図４の場合のステップＳ１１１乃至ステップＳ１１４の各処理と同様に実行される。つまり、図４の場合と同様に、超高域の定常的な雑音が推定される。
【００７６】
超高域の定常的な雑音が推定されると、ステップＳ１２５において、超高域定常的雑音解析部１０３は、ステップＳ１２４において推定した超高域の定常的な雑音から可聴帯域の信号成分の倍音成分を除去する。
【００７７】
超高域定常的雑音解析部１０３は、このように可聴帯域の信号成分の倍音成分を除去した超高域の定常的な雑音を、解析結果として、超高域定常的雑音低減部１０５に供給する。
【００７８】
ステップＳ１２４の処理が終了すると解析処理が終了し、処理は図３に戻る。
【００７９】
超高域定常的雑音低減部１０５が、以上のような解析の結果を用いて、信号処理を行うことにより、可聴帯域の信号成分の倍音成分を含まない、超高域の定常的な雑音を低減させることができる。このようにすることにより、再生装置１００（本技術を適用した信号処理装置）は、ハイレゾデータの再生における音質の低減をさらに抑制することができる。
【００８０】
＜解析のタイミング＞
なお、以上のような超高域の定常的な雑音の解析（超高域の定常的な雑音の推定）は、デジタルハイレゾデータの再生・出力のタイミングよりも前であれば、どのようなタイミングで行われても良い。例えば、所定のタイミングで実行されるようにしてもよいし、外部からの指示を受け付けた場合や、所定のパラメータの変化時や、所定のイベント発生時等に実行されるようにしてもよい。
【００８１】
また、定常的な雑音の推定をすればよいため、解析は、ハイレゾデータの全てを用いる必要は無く、ハイレゾデータの一部（再生時間の内、所定の一部に相当する部分データ（例えば、先頭から若しくは途中から所定の時間に相当する部分データ））のみを用いて行うようにしてもよい。
【００８２】
例えば、図７のように、ハイレゾデータ（楽曲）の再生を開始するタイミング（時刻T1）より前（時刻T0）において、ハイレゾデータの一部（時刻T0乃至時刻T1に相当する部分）を解析し、その解析結果（超高域定常的雑音特性）を用いて、時刻T1からハイレゾデータの再生（再生における雑音を低減する信号処理）を行うようにしてもよい。
【００８３】
また、例えば、ハイレゾデータ（楽曲）の再生中（時刻T1以降）も、定期的にまたは不定期に解析を繰り返し行い（図７の例の場合、時刻T2、T3、T4、T6、T7）、必要に応じて（例えば、解析結果（超高域定常的雑音特性）に大きな変化が生じた場合）、ハイレゾデータの再生（再生における雑音を低減する信号処理）に利用する解析結果（超高域定常的雑音特性）の値を更新するようにしてもよい。図７の例の場合、時刻T4と時刻T7において行われた解析の結果において大きな変化が生じている。
【００８４】
つまり、時刻T1乃至時刻T5のハイレゾデータの再生（再生における雑音を低減する信号処理）には、時刻T1において行われた解析の結果が用いられる。そして、時刻T4において行われる解析結果において大きな変化が生じるため、利用される解析結果が更新され、時刻T5乃至時刻T8のハイレゾデータの再生（再生における雑音を低減する信号処理）には、時刻T4において行われる解析の結果が用いられる。さらに、時刻T7において行われる解析結果において大きな変化が生じるため、利用される解析結果がさらに更新され、時刻T8以降のハイレゾデータの再生（再生における雑音を低減する信号処理）には、時刻T7において行われる解析の結果が用いられる。
【００８５】
もちろん、ハイレゾデータの再生タイミングよりも前のタイミングであれば、ハイレゾデータの再生とは関係なく、解析が行われるようにしてもよい。例えば、記憶部１０１がハイレゾデータを記憶する時等に解析が行われるようにしてもよい。その場合、例えば、超高域定常的雑音解析部１０３や超高域定常的雑音低減部１０５等がその解析結果を、ハイレゾデータの再生時（再生における雑音を低減する信号処理時）まで保持することができるようにしてもよい。また、新たに、解析結果を記憶する記憶部を設けるようにしてもよい。なお、その場合、再生タイミングを解析タイミングに合わせるように遅延させる必要が無いので、ディレイバッファ１０４を省略することもできる。
【００８６】
以上のように解析を行うことにより、解析に伴う処理の負荷や消費電力の増大を抑制することができる。
【００８７】
＜２．第２の実施の形態＞
＜帯域分割＞
なお、上述した定常的な雑音を低減させる信号処理は、一部の帯域についてのみ行うようにしてもよい。例えば、再生するハイレゾデータを可聴帯域以下と超高域とに帯域分割し、超高域についてのみ、上述した定常的な雑音を低減させる信号処理を施すようにしてもよい。
【００８８】
一般的に、ノイズリダクション処理は非線形な信号処理手法であり、雑音の低減度が高いほど、本来求めたい信号の音質も影響を受けて劣化する。特に、ハイレゾデータは高精度の処理を行うか、ほとんど何も処理しない場合（ダイレクト再生） でないと、音質への影響が避けられない。図２の再生装置１００の場合、超高域定常的雑音低減部１０５が可聴帯域全体も含めてFFT/IFFTすることになる。そのため演算精度やFFTフレームの取り方による音質に影響を及ぼす可能性が高い（すなわち、その分、音質が低減する可能性が高い）。
【００８９】
そこで、上述したように帯域を分割し、可聴帯域以下については、ディレイ処理以外 極力信号処理を施さないようにすることにより、音質の低減をさらに抑制することができる。なお、一般的に、高域にいくほど聴覚は時間・位相性より、そのエネルギー性が大事になるとされているので、超高域については、スペクトルサブトラクションにより多少位相が変化しても人間が聞き分けられる程の音質変化にはなり難い。
【００９０】
＜再生装置＞
図８は、その場合の再生装置の主な構成例を示すブロック図である。図８に示される再生装置２００は、再生装置１００と同様、本技術を適用した信号処理を行って、デジタルハイレゾデータの超高域の定常的な雑音を抑制して再生する装置である。ただし、再生装置２００は、デジタルハイレゾデータに対して帯域分割を行い、その超高域の成分に対してのみ、本技術を適用した信号処理を行う。
【００９１】
図８に示されるように、信号処理装置の一実施の形態である再生装置２００は、記憶部２０１、HPF（High Pass Filter）２０２、周波数軸変換部２０３、超高域定常的雑音解析部２０４、ディレイバッファ２０５、超高域定常的雑音低減部２０６、HPF２０７、LPF（Low Pass Filter）２０８、ディレイバッファ２０９、演算部２１０、DAC２１１、増幅部２１２、およびスピーカ２１３を有する。
【００９２】
記憶部２０１は、記憶部１０１と同様の処理部であり、デジタルハイレゾデータを記憶する。再生されるデジタルハイレゾデータは、この記憶部２０１から読み出され、HPF２０２およびLPF２０８に供給される。
【００９３】
HPF２０２は、供給されるデジタルハイレゾデータの超高域（例えば、20kHz以上）を通過させ、可聴帯域以下（例えば、20kHz以下）を遮断する。すなわち、HPF２０２は、供給されるデジタルハイレゾデータからその超高域成分を抽出する。HPF２０２は、抽出した超高域成分を周波数軸変換部２０３およびディレイバッファ２０５に供給する。
【００９４】
周波数軸変換部２０３は、周波数軸変換部１０２と同様の処理部であり、HPF２０２から供給されるデジタルハイレゾデータの超高域成分をフーリエ変換（例えば、高速フーリエ変換（FFT（Fast Fourier Transform）））し、生成した周波数スペクトルを超高域定常的雑音解析部２０４に供給する。
【００９５】
超高域定常的雑音解析部２０４は、超高域定常的雑音解析部１０３と同様の処理部であり、デジタルハイレゾデータの超高域成分の周波数スペクトルを解析し、超高域の定常的な雑音を推定する。つまり、超高域定常的雑音解析部２０４は、デジタルハイレゾデータの超高域成分を対象に、超高域定常的雑音解析部１０３と同様の解析を行う。超高域定常的雑音解析部２０４は、その解析結果を超高域定常的雑音低減部２０６に供給する。
【００９６】
ディレイバッファ２０５は、ディレイバッファ１０４と同様の処理部であり、供給されたデジタルハイレゾデータの超高域成分を、解析が先に終了するように、一時的に保持し、再生タイミングを遅延させる。ディレイバッファ２０５は、デジタルハイレゾデータの超高域成分を所定時間保持した後、超高域定常的雑音低減部２０６に供給する。
【００９７】
超高域定常的雑音低減部２０６は、超高域定常的雑音低減部１０５と同様の処理部である。超高域定常的雑音低減部２０６は、超高域定常的雑音解析部２０４から供給される解析結果に従って、ディレイバッファ２０５から供給されるデジタルハイレゾデータの超高域成分に対して、スペクトルサブトラクションをベースとする手法や、ウィナー（Wiener）フィルタ等を用いて、そのデジタルハイレゾデータに含まれる超高域の定常的な雑音を低減させる信号処理を行う。超高域定常的雑音低減部２０６は、信号処理後のデジタルハイレゾデータの超高域成分をHPF２０７に供給する。
【００９８】
信号処理後のデジタルハイレゾデータの超高域成分には、可聴帯域以下（例えば、20kHz以下）の成分も含まれる可能性がある。このような成分が、再生出力されるハイレゾデータの可聴帯域以下の成分に影響を及ぼさないように、HPF２０７は、供給された信号処理後のデジタルハイレゾデータの超高域成分の超高域（例えば、20kHz以上）を通過させ、可聴帯域以下（例えば、20kHz以下）を遮断する。HPF２０７は、可聴帯域以下の成分を逓減させた信号処理後のデジタルハイレゾデータの超高域成分を演算部２１０に供給する。
【００９９】
つまり、HPF２０２乃至HPF２０７により、デジタルハイレゾデータの超高域成分に対してのみ、本技術を適用した、超高域の定常的な雑音の解析と、その超高域の定常的な雑音を低減させる信号処理が行われる。
【０１００】
LPF２０８は、供給されるデジタルハイレゾデータの可聴帯域以下（例えば、20kHz以下）を通過させ、超高域（例えば、20kHz以上）を遮断する。すなわち、LPF２０８は、供給されるデジタルハイレゾデータからその可聴帯域以下の成分を抽出する。LPF２０８は、抽出した可聴帯域以下の成分をディレイバッファ２０９に供給する。
【０１０１】
ディレイバッファ２０９は、ディレイバッファ２０５と同様の処理部であり、供給されたデジタルハイレゾデータの可聴帯域以下の成分を、ディレイバッファ２０９と略同時間、一時的に保持し、再生タイミングを遅延させる。ディレイバッファ２０９は、デジタルハイレゾデータの可聴帯域以下の成分を所定時間保持した後、演算部２１０に供給する。
【０１０２】
演算部２１０は、ディレイバッファ２０９から供給されたデジタルハイレゾデータの可聴帯域以下の成分と、HPF２０７から供給された、可聴帯域以下の成分を逓減させた信号処理後のデジタルハイレゾデータの超高域成分とを加算し、その加算結果、すなわち、信号処理されたデジタルハイレゾデータをDAC２１１に供給する。
【０１０３】
DAC２１１は、DAC１０６と同様の処理部であり、供給されるデジタルハイレゾデータをD/A変換し、アナログ信号の音声信号（以下において、オーディオ信号とも称する）として増幅部２１２に供給する。増幅部２１２は、増幅部１０７と同様の処理部であり、供給されるオーディオ信号を増幅し、スピーカ２１３に供給する。スピーカ２１３は、スピーカ１０８と同様の処理部であり、供給されるオーディオ信号を物理振動に変換し、音声や音楽等の音として出力する。
【０１０４】
このような構成を有することにより、再生装置２００は、本技術を適用した信号処理の、可聴帯域以下の成分への影響を抑制することができるので、音質の低減をさらに抑制することができる。
【０１０５】
すなわち、本技術を適用した信号処理装置は、例えば上述したHPF２０２およびLPF２０８のようにオーディオ信号を超高域の信号成分と超高域以外の信号成分とに帯域分割する帯域分割部と、例えば上述した演算部２１０のように信号処理部により超高域の定常的な信号成分が低減されたオーディオ信号を、帯域分割部によりオーディオ信号が帯域分割されて得られたオーディオ信号の超高域以外の信号成分と合成する合成部とをさらに備え、変換部は、帯域分割部によりオーディオ信号が帯域分割されて得られたオーディオ信号の超高域の信号成分を直交変換し、解析部は、変換部により直交変換されたオーディオ信号の超高域の信号成分を解析し、超高域の定常的な信号成分を推定し、信号処理部は、帯域分割部によりオーディオ信号が帯域分割されて得られたオーディオ信号の超高域の信号成分に対して、解析部の解析により推定された超高域の定常的な信号成分を低減させる信号処理を行い、合成部は、信号処理部により超高域の定常的な信号成分が低減されたオーディオ信号の超高域の信号成分を、帯域分割部によりオーディオ信号が帯域分割されて得られたオーディオ信号の超高域以外の信号成分と合成するようにしてもよい。このようにすることにより、再生装置２００の場合と同様に、音質の低減をさらに抑制することができる。
【０１０６】
同様に、本技術を適用した信号処理方法は、例えば上述したHPF２０２およびLPF２０８のようにオーディオ信号を超高域の信号成分と超高域以外の信号成分とに帯域分割し、オーディオ信号が帯域分割されて得られたオーディオ信号の超高域の信号成分を直交変換し、直交変換されたオーディオ信号の超高域の信号成分を解析し、超高域の定常的な信号成分を推定し、オーディオ信号が帯域分割されて得られたオーディオ信号の超高域の信号成分に対して、解析により推定された超高域の定常的な信号成分を低減させる信号処理を行い、超高域の定常的な信号成分が低減されたオーディオ信号の超高域の信号成分を、オーディオ信号が帯域分割されて得られたオーディオ信号の超高域以外の信号成分と合成するようにしてもよい。このようにすることにより、再生装置２００の場合と同様に、音質の低減をさらに抑制することができる。
【０１０７】
＜その他の構成＞
例えば再生装置１００において、記憶部１０１は、省略するようにしてもよい。その場合、ハイレゾデータは、再生装置１００の外部（例えば他の装置）から入力されるようにすればよい。また、DAC１０６乃至スピーカ１０８も、それぞれ、省略するようにしてもよい。その場合、省略した各処理部の処理は、必要に応じて、再生装置１００の外部（例えば他の装置）等において実行されるようにすればよい。また、その場合、必要に応じて、外部とのデータを授受する機能を設けるようにしてもよい。
【０１０８】
同様に、再生装置２００においても、記憶部２０１、HPF２０２、ディレイバッファ２０５、HPF２０７乃至スピーカ２１３は、それぞれ、省略するようにしてもよい。その場合、省略した各処理部の処理は、必要に応じて、再生装置２００の外部（例えば他の装置）等において実行されるようにすればよい。また、その場合、必要に応じて、外部とのデータを授受する機能を設けるようにしてもよい。
【０１０９】
＜３．第３の実施の形態＞
＜送信装置＞
例えば、上述したように本技術を適用した信号処理を施し、超高域の定常的な雑音を低減させたハイレゾデータを、他の装置に供給し、他の装置において再生・出力させるようにしてもよい。すなわち、本技術は、再生装置以外の信号処理装置にも適用することができる。
【０１１０】
図９は、本技術を適用した信号処理装置の一実施の形態である送信装置の主な構成例を示すブロック図である。図９に示される送信装置３００は、ハイレゾデータ（音声データ）を符号化し、後述する受信装置に送信し、その受信装置において再生・出力させる装置である。
【０１１１】
図９に示されるように、送信装置３００は、記憶部３０１、HPF３０２、周波数軸変換部３０３、超高域定常的雑音解析部３０４、ディレイバッファ３０５、超高域定常的雑音低減部３０６、HPF３０７、LPF３０８、ディレイバッファ３０９、演算部３１０、符号化部３１１、および送信部３１２を有する。
【０１１２】
記憶部３０１乃至演算部３１０の各処理部は、再生装置２００の記憶部２０１乃至演算部２１０の各処理部と同様の処理部であり、同様の処理を行う。すなわち、送信装置３００は、再生装置２００と基本的に同様の構成を有し、DAC２１１、増幅部２１２、およびスピーカ２１３の代わりに、符号化部３１１および送信部３１２を有する。
【０１１３】
符号化部３１１は、例えば、CPU、ROM、RAM等よりなり、演算部３１０から供給される信号処理されたデジタルハイレゾデータ、すなわち、デジタルハイレゾデータの可聴帯域以下の成分と、可聴帯域以下の成分を逓減させた信号処理後のデジタルハイレゾデータの超高域成分との加算結果を、所定の符号化方式で符号化する。符号化部３１１は、その符号化により得られた符号化データを、送信部３１２に供給する。
【０１１４】
送信部３１２は、例えば、CPU、ROM、RAM等よりなり、所定の通信方式で、符号化部３１１から供給される符号化データを送信する。この通信方式は有線通信であってもよいし無線通信であってもよい。例えば、有線通信の場合、送信部３１２は、所定の通信ケーブル等により、通信相手の受信装置に接続される。また、例えば、Bluetooth（登録商標）やWiFi（登録商標）等の無線通信の場合、送信部３１２は、所定のアンテナを有し、そのアンテナを介して符号化データを無線信号として送信する。
【０１１５】
図１０は、この送信装置３００に対応する受信装置の主な構成例を示すブロック図である。図１０に示される受信装置３５０は、送信装置３００より送信される符号化データを受信して復号し、得られたハイレゾデータを再生・出力する装置である。
【０１１６】
図１０に示されるように、受信装置３５０は、受信部３５１、復号部３５２、DAC３５３、増幅部３５４、およびスピーカ３５５を有する。
【０１１７】
受信部３５１は、送信装置３００の送信部３１２に対応し、送信部３１２と同様の通信方式により、送信装置３００から送信された符号化データを受信して復調する。この通信方式は有線通信であってもよいし無線通信であってもよい。例えば、有線通信の場合、受信部３５１は、所定の通信ケーブル等により、通信相手の送信装置３００に接続される。また、無線通信の場合、受信部３５１は、所定のアンテナを有し、そのアンテナを介して無線信号として送信される符号化データを受信する。受信部３５１は、受信した符号化データを復号部３５２に供給する。
【０１１８】
復号部３５２は、供給された符号化データを、送信装置３００の符号化部３１１の符号化方式に対応する復号方式により復号し、デジタルハイレゾデータを得る。このデジタルハイレゾデータは、送信装置３００において、超高域の定常的な雑音を低減させるように信号処理されたデータである。復号部３５２は、得られたデジタルハイレゾデータをDAC３５３に供給する。
【０１１９】
DAC３５３、増幅部３５４、およびスピーカ３５５は、それぞれ、DAC２１１、増幅部２１２、およびスピーカ２１３と同様の処理部であり、同様の処理を行う。
【０１２０】
以上のように、デジタルハイレゾデータは、送信装置３００において、本技術を適用した信号処理が施され、符号化されて受信装置３５０に伝送され、受信装置３５０において、復号されて再生・出力される。
【０１２１】
このようにすることにより、送信装置３００および受信装置３５０は、超高域を含む音声データの再生を、音質の低減を抑制しながらより安全に行うことができる。
【０１２２】
また、送信装置３００のように、符号化の際に、本技術を適用した信号処理を行うことにより、超高域の不要なエネルギー成分（雑音）を抑制して符号化することができるので、符号化効率を向上させることができる。
【０１２３】
なお、換言するに、以上に説明した本技術を適用した信号処理は、任意のタイミングで実行することができ、ハイレゾデータの再生・出力時以外であっても行うことができる。すなわち、本技術は、再生装置以外の信号処理装置にも適用することができる。
【０１２４】
例えば、図９においては、符号化後、符号化されたハイレゾデータを受信装置３５０に送信し、再生・出力させるように説明したが、これに限らず、符号化データを所定の記憶部等に記憶させたり、他の音声信号処理を施したり、編集したりするようにしてもよい。また、符号化せずに、信号処理のみを施して、信号処理後のハイレゾデータを所定の記憶部等に記憶させたり、他の音声信号処理を施したり、編集したりするようにしてもよい。また、符号化データや信号処理後のハイレゾデータを他の装置に伝送し、その他の装置において、それらの処理を実行させるようにしてもよい。
【０１２５】
＜４．第４の実施の形態＞
＜再生時の音量制御＞
ところで、ハイレゾデータの再生において、アンプやスピーカを保護するための方法としては、図１１に示されるようなマルチバンドコンプ（帯域別コンプレッサ）を使って、超高域に対してのみレベル解析を行いゲイン制御処理をすることで、超高域のみゲインを抑える方法も考えられる。
【０１２６】
しかしながら、この方法の場合、ノイズシェイパによる雑音のカーブの形状など、雑音特性に関わらずコンプ動作は一定となってしまう。また、デジタル領域における信号レベルで処理を決めており、 機器のボリュームは考慮されない。つまり小音量再生の場合でもデジタルのフルスケールレベルに対して相対的に大きなレベルのノイズシェイパ雑音が入っていればコンプレッサが抑えてしまう。さらに、常時レベル解析が必要なので、CPU、MPU、またはDSP等の計算リソースが掛かり消費電力が大きくなる。
【０１２７】
そこで、オーディオ信号を直交変換する変換部と、変換部により直交変換されたオーディオ信号を解析し、超高域の定常的な信号成分を推定する解析部と、オーディオ信号に対して、解析部の解析により推定された超高域の定常的な信号成分を低減させる信号処理を行う信号処理部とを備え、信号処理部が、オーディオ信号の増幅量に応じて、超高域の定常的な信号成分を低減させるようにしてもよい。
【０１２８】
＜再生装置＞
図１２は、本技術を適用して信号処理装置の一実施の形態である再生装置の主な構成例を示すブロック図である。図１２に示される再生装置５００は、ハイレゾデータ（音声データ）を再生し、出力する装置である。
【０１２９】
図１２に示されるように、再生装置５００は、記憶部５０１、周波数軸変換部５０２、入力部５０３、超高域定常的雑音解析部５０４、ボリューム制御データベース５０５、ディレイバッファ５０６、超高域定常的雑音低減部５０７、DAC５０８、増幅部５０９、およびスピーカ５１０を有する。
【０１３０】
記憶部５０１は、再生装置１００の記憶部１０１と同様の処理部であり、デジタルハイレゾデータを記憶する。再生されるデジタルハイレゾデータは、この記憶部５０１から読み出され、周波数軸変換部５０２およびディレイバッファ５０６に供給される。
【０１３１】
周波数軸変換部５０２は、再生装置１００の周波数軸変換部１０２と同様の処理部であり、供給されるデジタルハイレゾデータをフーリエ変換し、周波数スペクトルを超高域定常的雑音解析部５０４に供給する。
【０１３２】
入力部５０３は、ユーザによる入力操作が示す情報やユーザ等が操作するリモートコントローラ等の他の装置から供給される情報を受け付ける。例えば、入力部５０３は、それらから入力される音量設定を受け付ける。入力部５０３は、入力された音量設定を超高域定常的雑音解析部５０４および増幅部５０９に供給する。
【０１３３】
超高域定常的雑音解析部５０４は、例えばCPU、ROM、RAM等よりなり、再生装置１００の超高域定常的雑音解析部１０３と同様に、周波数軸変換部５０２から供給される周波数スペクトルを解析し、超高域の定常的な雑音を推定する。また、超高域定常的雑音解析部５０４は、増幅部５０９やスピーカ５１０等のハードウエアの仕様に関する情報（以下、ハードウエア情報とも称する）を有しており、そのハードウエア情報に基づいて、音量設定毎に、超高域定常的雑音低減部５０７による超高域成分を抑制するためのフィルタ処理の制御パラメータの値を設定する。超高域定常的雑音解析部５０４は、その値をボリューム制御データベース５０５に供給する。
【０１３４】
ボリューム制御データベース５０５は、例えば、ハードディスク、フラッシュメモリ、または光ディスク等の任意の記録媒体を有し、各音量設定とそれに対応する制御パラメータの値とを、その関係を維持したまま、ボリューム制御データベースとして記憶する。
【０１３５】
デジタルハイレゾデータを再生・出力する際、超高域定常的雑音解析部５０４は、入力部５０３から供給される音量設定をボリューム制御データベース５０５に供給する。ボリューム制御データベース５０５は、その超高域定常的雑音解析部５０４の要求に応じて、その音量設定に対応する制御パラメータの値を超高域定常的雑音解析部５０４に供給する。超高域定常的雑音解析部５０４は、その、入力部５０３から供給される音量設定に対応する制御パラメータの値を超高域定常的雑音低減部５０７に供給する。
【０１３６】
以上の解析を信号処理前に終了させるために、ディレイバッファ５０６は、供給されたデジタルハイレゾデータを一時的に保持し、再生タイミングを遅延させる。ディレイバッファ５０６は、デジタルハイレゾデータを所定時間保持した後、超高域定常的雑音低減部５０７に供給する。
【０１３７】
超高域定常的雑音低減部５０７は、例えばCPU、ROM、RAM等よりなり、超高域定常的雑音解析部１０３から供給される制御パラメータの値を用いて、ディレイバッファ５０６から供給されるデジタルハイレゾデータに対して、その超高域に対するフィルタ処理を行い、そのデジタルハイレゾデータに含まれる超高域の定常的な雑音を低減させる。そのフィルタ処理の所定の制御パラメータは可変である。上述したように、超高域定常的雑音解析部５０４は、入力部５０３において受け付けられた音量設定に応じて、その制御パラメータの値を設定する。したがって、超高域定常的雑音低減部５０７は、その制御パラメータについて、入力部５０３において受け付けられた音量設定に応じた値を適用することができる。すなわち、超高域定常的雑音低減部５０７は、入力部５０３において受け付けられた音量設定に応じたフィルタ処理を行うことができる。超高域定常的雑音低減部５０７は、フィルタ処理後のデジタルハイレゾデータをDAC５０８に供給する。
【０１３８】
DAC５０８は、供給されるデジタルハイレゾデータをD/A変換し、アナログ信号の音声信号（以下において、オーディオ信号とも称する）として増幅部５０９に供給する。増幅部５０９は、入力部５０３から供給される音量設定に応じたゲインで、DAC５０８から供給されるオーディオ信号を増幅し、スピーカ５１０に供給する。スピーカ５１０は、供給されるオーディオ信号を物理振動に変換し、音声や音楽等の音として出力する。
【０１３９】
＜再生処理の流れ＞
以上のような構成の再生装置５００が実行する処理について説明する。最初に、再生装置５００が実行する再生処理の流れの例を、図１３のフローチャートを参照して説明する。
【０１４０】
再生処理が開始されると、周波数軸変換部５０２、超高域定常的雑音解析部５０４、およびボリューム制御データベース５０５は、ステップＳ５０１において、再生するデジタルハイレゾデータに含まれる超高域の定常的な雑音の解析を行う。詳細については、後述するが、この処理により、音量設定と、超高域定常的雑音低減部５０７によるフィルタ処理の制御パラメータの値との対応表が、ボリューム制御データベースとして生成される。
【０１４１】
ステップＳ５０２において、ディレイバッファ５０６は、再生するデジタルハイレゾデータを記憶部５０１から読み出す。ディレイバッファ５０６は、読み出したデジタルハイレゾデータを一時的に保持し、ステップＳ５０１の処理が終了するまで遅延させる。
【０１４２】
ステップＳ５０１の処理が終了した後に、ステップＳ５０３において、入力部５０３は、音量設定を受け付ける。ステップＳ５０４において、超高域定常的雑音解析部５０４は、ボリューム制御データベース５０５を参照し、ステップＳ５０３において受け付けられた音量設定に応じた制御パラメータを設定する。
【０１４３】
ステップＳ５０５において、超高域定常的雑音低減部５０７は、ステップＳ５０４において設定された制御パラメータを用いて、デジタルハイレゾデータの超高域に対するフィルタ処理を行う。すなわち、超高域定常的雑音低減部５０７は、超高域の定常的な雑音成分を低減させるように、主に超高域を低減させるフィルタ処理を行う。
【０１４４】
このフィルタ処理およびその制御パラメータは任意である。例えば、超高域を低減させるローパスフィルタ（LPF）を用いたフィルタ処理であってもよい。その場合、音量設定に応じて値を変化させる制御パラメータは、例えば、カットオフ周波数（fc）であってもよい。例えば、図１４Ａのように、音量設定（ボリューム）が大きくなる程、カットオフ周波数（fc）が小さくなり（可聴帯域上限（例えば20kHz）に近づく）、音量設定（ボリューム）が小さくなる程、カットオフ周波数（fc）が大きくなる（可聴帯域上限（例えば20kHz）から遠ざかる）ようにしてもよい。
【０１４５】
また、音量設定に応じて値を変化させる制御パラメータは、例えば、傾き（カットのきつさ・ゲイン）であってもよい。例えば、図１４Ｂのように、音量設定（ボリューム）が大きくなる程、カットオフ周波数（fc）以上の帯域における傾きが大きくなり（ゲインが小さくなり）、音量設定（ボリューム）が小さくなる程、カットオフ周波数（fc）以上の帯域における傾きが小さくなる（ゲインが大きくなる）ようにしてもよい。
【０１４６】
また、フィルタ処理が、超高域を低減させるTSF（Treble Shelving Filter）であってもよい。その場合、音量設定に応じて値を変化させる制御パラメータは、例えば、ゲイン（傾き（カットのきつさ））であってもよい。例えば、図１４Ｃのように、音量設定（ボリューム）が大きくなる程、カットオフ周波数（fc）以上の帯域における傾きの角度（カットのきつさ）が大きくなり（ゲインが小さくなり）、音量設定（ボリューム）が小さくなる程、カットオフ周波数（fc）以上の帯域における傾きの角度（カットのきつさ）が小さくなる（ゲインが大きくなる）ようにしてもよい。
【０１４７】
また、図１５Ａに示されるように、リミッタを用いて超高域を低減させるフィルタ処理であってもよい。図１５Ａの例の場合、超高域定常的雑音低減部５０７は、HPF５５１、リミッタ５５２、LPF５５３、および演算部５５４を有する。
【０１４８】
HPF５５１は、供給されたハイレゾデータから超高域（例えば20kHz以上）の成分を抽出し、リミッタ５５２に供給する。リミッタ５５２は、図１５Ｂに示される例のような所定の入出力特性を有し、入力の信号レベルが所定のスレッショルド（閾値）以上の場合、所定の信号レベルに抑制して出力する。リミッタ５５２は、供給されたハイレゾデータの超高域の成分に対して、そのような信号レベル制限を行い、演算部５５４に供給する。
【０１４９】
LPF５５３は、供給されたハイレゾデータから可聴帯域以下（例えば20kHz以下）の成分を抽出し、演算部５５４に供給する。演算部５５４は、LPF５５３から供給されるハイレゾデータと、リミッタ５５２から供給されるハイレゾデータとを加算（合成）し、その加算結果（合成結果）、すなわち、全帯域のハイレゾデータを出力する。このハイレゾデータは、リミッタ５５２により、適宜、超高域が抑制されている。
【０１５０】
この場合の、音量設定に応じて値を変化させる制御パラメータは、例えば、リミッタ５５２の入出力特性のスレッショルドであってもよい。例えば、音量設定（ボリューム）が大きくなる程、このスレッショルドの値が小さくなり、音量設定（ボリューム）が小さくなる程、スレッショルドの値が大きくなるようにしてもよい。
【０１５１】
もちろん、超高域を抑制するフィルタ処理や音量設定に応じて値を変化させる制御パラメータは、上述した以外であってもよい。
【０１５２】
図１３に戻り、ステップＳ５０６において、DAC５０８は、ステップＳ５０５においてフィルタ処理されたデジタルハイレゾデータをD/A変換し、アナログのオーディオ信号を生成する。
【０１５３】
ステップＳ５０７において、増幅部５０９は、そのオーディオ信号を、ステップＳ５０３において受け付けられた音量設定に応じたゲインで増幅する。
【０１５４】
ステップＳ５０８において、スピーカ５１０は、オーディオ信号を音声として出力する。
【０１５５】
ステップＳ５１０の処理が終了すると、再生処理が終了する。
【０１５６】
＜解析処理の流れ＞
次に、図１６のフローチャートを参照して、図１３のステップＳ５０１において実行される解析処理の流れの例を説明する。必要に応じて、図１７を参照して説明する。
【０１５７】
解析処理が開始されると、ステップＳ５１１において、周波数軸変換部５０２は、再生するデジタルハイレゾデータを記憶部５０１から読み出す。ステップＳ５１２において、周波数軸変換部５０２は、その読み出したデジタルハイレゾデータをフーリエ変換する。
【０１５８】
ステップＳ５１３において、超高域定常的雑音解析部１０３は、周波数軸上でスムージングを行う。
【０１５９】
ステップＳ５１４において、超高域定常的雑音解析部５０４は、以上のようにして得られた複数時刻の周波数軸データ（周波数スペクトル）の超高域成分を用いて、超高域の定常的な雑音を推定する。
【０１６０】
ステップＳ５１５において、超高域定常的雑音解析部５０４は、さらに、増幅部５０９やスピーカ５１０等の再生装置５００のハードウエア情報に基づいて、推定した超高域の定常的な雑音に対する超高域のレベルマージンを算出する。
【０１６１】
ステップＳ５１６において、超高域定常的雑音解析部５０４は、ステップＳ５１５において算出したレベルマージンに基づいて、例えば、図１７に示されるような、各音量設定に対応する、超高域定常的雑音低減部５０７によるフィルタ処理の制御パラメータの値を設定する。
【０１６２】
図１７の例の場合、Volume0; Volume1; Volume2; …; Volume28; Volume29; Volumr30の各音量設定に対して、paramA0,paramB0,…; paramA1,paramB1,…; paramA2,paramB2,…; …; paramA28,paramB28,…; paramA29,paramB29,…; paramA30,paramB30,…;のように、音量設定に応じて可変の制御パラメータの値がそれぞれ設定されている。このような音量設定と制御パラメータとの対応表が生成されると、処理はステップＳ５１７に進む。
【０１６３】
ステップＳ５１７において、ボリューム制御データベース５０５は、ステップＳ５１６において生成された、音量設定毎の制御パラメータの値を、ボリューム制御データベースとして記憶する。
【０１６４】
ステップＳ５１７の処理が終了すると、処理は、図１３に戻る。
【０１６５】
以上のように生成されたボリューム制御データベースを用いて、超高域定常的雑音解析部５０４が、図１３のフローチャートを参照して説明したように、入力部５０３において受け付けられた音量設定に応じた制御パラメータの値を特定し、その制御パラメータを超高域定常的雑音低減部５０７に供給し、超高域定常的雑音低減部５０７がその制御パラメータを用いてフィルタ処理を行うことにより、再生されるデジタルハイレゾデータの超高域の成分が、音量設定に応じて適切に低減される。
【０１６６】
したがって再生装置５００は、必要な場合（スピーカやアンプへの負荷が許容できないほど課題である場合）にのみ超高域が低減されたオーディオ信号を増幅して出力することができるので、超高域の雑音の過大音圧によるスピーカやアンプへの過大な負荷を抑制することができる。つまり、超高域を含む音声データの再生をより安全に行うことができる。また、超高域においても不要な低減を抑制することができるので、再生装置５００は、音質の低減を抑制しながら再生することができる。
【０１６７】
つまり、この場合も、本技術を適用した信号処理装置は、再生装置５００と同様に、超高域を含む音声データの再生を、音質の低減を抑制しながらより安全に行うことができる。
【０１６８】
なお、この場合も、超高域定常的雑音低減部５０７が、第１の実施の形態の再生装置１００と同様のフィルタ処理（スペクトルサブトラクションやウィナーフィルタ）を行い、本来不要な超高域の定常的な雑音を主に抑制するようにしてもよい。つまり、第１の実施の形態の再生装置１００と同様のフィルタ処理（スペクトルサブトラクションやウィナーフィルタ）の制御パラメータの値を、音量設定に応じて制御することができるようにしてもよい。
【０１６９】
＜解析処理の流れ＞
また、この場合も、定常的な信号成分は、可聴帯域の信号成分の倍音成分を含まない成分であるようにしてもよい。つまり、推定する雑音から可聴帯域の信号成分の倍音成分を除去するようにしてもよい。
【０１７０】
その場合の、解析処理の流れの例を図１８のフローチャートを参照して説明する。図１８のフローチャートに示されるように、この場合も、ステップＳ５２１乃至ステップＳ５２４の各処理は、図１６の場合のステップＳ５１１乃至ステップＳ５１４の各処理と同様に実行される。つまり、図１６の場合と同様に、超高域の定常的な雑音が推定される。
【０１７１】
超高域の定常的な雑音が推定されると、ステップＳ５２５において、超高域定常的雑音解析部５０４は、ステップＳ５２４において推定した超高域の定常的な雑音から可聴帯域の信号成分の倍音成分を除去する。
【０１７２】
ステップＳ５２６において、超高域定常的雑音解析部５０４は、増幅部５０９やスピーカ５１０等の再生装置５００のハードウエア情報に基づいて、このように可聴帯域の信号成分の倍音成分を除去した超高域の定常的な雑音に対する超高域のレベルマージンを算出する。
【０１７３】
ステップＳ５２７およびステップＳ５２８の各処理は、図１６のステップＳ５１６およびステップＳ５１７の各処理と同様時実行される。
【０１７４】
ステップＳ５２８の処理が終了すると解析処理が終了し、処理は図１３に戻る。
【０１７５】
超高域定常的雑音低減部５０７が、以上のような解析の結果を用いて、信号処理を行うことにより、可聴帯域の信号成分の倍音成分を含まない、超高域の定常的な雑音の音量設定に基づいて、超高域を低減させることができる。可聴帯域の信号成分の倍音成分は、基本的に時間変動し、定常的でないため、再生装置に与える負荷も、定常的な雑音よりは小さい。したがって、このようにすることにより、再生装置５００（本技術を適用した信号処理装置）は、超高域の不要な低減をさらに抑制し、ハイレゾデータの再生における音質の低減をさらに抑制することができる。
【０１７６】
＜解析のタイミング＞
なお、本実施の形態の場合も、超高域の定常的な雑音の解析（超高域の定常的な雑音の推定）は、第１の実施の形態の場合（図７の例）と同様に、デジタルハイレゾデータの再生・出力のタイミングよりも前であれば、どのようなタイミングで行われても良い。また、定常的な雑音の推定をすればよいため、第１の実施の形態の場合（図７の例）と同様に、解析は、ハイレゾデータの全てを用いる必要は無く、ハイレゾデータの一部（再生時間の内、所定の一部に相当する部分データ（例えば、先頭から若しくは途中から所定の時間に相当する部分データ））のみを用いて行うようにしてもよい。
【０１７７】
もちろん、ハイレゾデータの再生タイミングよりも前のタイミングであれば、ハイレゾデータの再生とは関係なく、解析が行われるようにしてもよい。例えば、記憶部５０１がハイレゾデータを記憶する時等に解析が行われるようにしてもよい。その場合、再生タイミングを解析タイミングに合わせるように遅延させる必要が無いので、ディレイバッファ５０６を省略することもできる。
【０１７８】
以上のように解析を行うことにより、解析に伴う処理の負荷や消費電力の増大を抑制することができる。
【０１７９】
＜５．第５の実施の形態＞
＜コンピュータ＞
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１８０】
図１９は、上述した一連の処理をプログラムにより実行するコンピュータのハードウエアの構成例を示すブロック図である。
【０１８１】
図１９に示されるコンピュータ９００において、CPU（Central Processing Unit）９０１、ROM（Read Only Memory）９０２、RAM（Random Access Memory）９０３は、バス９０４を介して相互に接続されている。
【０１８２】
バス９０４にはまた、入出力インタフェース９１０も接続されている。入出力インタフェース９１０には、入力部９１１、出力部９１２、記憶部９１３、通信部９１４、およびドライブ９１５が接続されている。
【０１８３】
入力部９１１は、例えば、キーボード、マウス、マイクロホン、タッチパネル、入力端子などよりなる。出力部９１２は、例えば、ディスプレイ、スピーカ、出力端子などよりなる。記憶部９１３は、例えば、ハードディスク、RAMディスク、不揮発性のメモリなどよりなる。通信部９１４は、例えば、ネットワークインタフェースよりなる。ドライブ９１５は、磁気ディスク、光ディスク、光磁気ディスク、または半導体メモリなどのリムーバブルメディア９２１を駆動する。
【０１８４】
以上のように構成されるコンピュータでは、CPU９０１が、例えば、記憶部９１３に記憶されているプログラムを、入出力インタフェース９１０およびバス９０４を介して、RAM９０３にロードして実行することにより、上述した一連の処理が行われる。RAM９０３にはまた、CPU９０１が各種の処理を実行する上において必要なデータなども適宜記憶される。
【０１８５】
コンピュータ（CPU９０１）が実行するプログラムは、例えば、パッケージメディア等としてのリムーバブルメディア９２１に記録して適用することができる。その場合、プログラムは、リムーバブルメディア９２１をドライブ９１５に装着することにより、入出力インタフェース９１０を介して、記憶部９１３にインストールすることができる。
【０１８６】
また、このプログラムは、ローカルエリアネットワーク、インターネット、デジタル衛星放送といった、有線または無線の伝送媒体を介して提供することもできる。その場合、プログラムは、通信部９１４で受信し、記憶部９１３にインストールすることができる。
【０１８７】
その他、このプログラムは、ROM９０２や記憶部９１３に、予めインストールしておくこともできる。
【０１８８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８９】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１９０】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１９１】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０１９２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９３】
例えば、本技術は、１つの機能を、ネットワークを介して複数の装置で分担、共同して処理するクラウドコンピューティングの構成をとることができる。
【０１９４】
また、上述のフローチャートで説明した各ステップは、１つの装置で実行する他、複数の装置で分担して実行することができる。
【０１９５】
さらに、１つのステップに複数の処理が含まれる場合には、その１つのステップに含まれる複数の処理は、１つの装置で実行する他、複数の装置で分担して実行することができる。
【０１９６】
なお、本技術は以下のような構成も取ることができる。
（１）  オーディオ信号を直交変換する変換部と、
前記変換部により直交変換された前記オーディオ信号を解析し、超高域の定常的な信号成分を推定する解析部と、
前記オーディオ信号に対して、前記解析部の解析により推定された前記超高域の前記定常的な信号成分を低減させる信号処理を行う信号処理部と
を備える信号処理装置。
（２）  前記超高域は、可聴帯域よりも高域である
（１）、（３）乃至（１９）のいずれかに記載の信号処理装置。
（３）  前記定常的な信号成分は、高域に向かってレベル増加する成分である
（１）、（２）、（４）乃至（１９）のいずれかに記載の信号処理装置。
（４）  前記定常的な信号成分は、可聴帯域の信号成分の倍音成分を含まない成分である
（１）乃至（３）、（５）乃至（１９）のいずれかに記載の信号処理装置。
（５）  前記信号処理部は、スペクトルサブトラクションにより前記超高域の前記定常的な信号成分を低減させる
（１）乃至（４）、（６）乃至（１９）のいずれかに記載の信号処理装置。
（６）  前記信号処理部は、ウィナーフィルタにより前記超高域の前記定常的な信号成分を低減させる
（１）乃至（５）、（７）乃至（１９）のいずれかに記載の信号処理装置。
（７）  前記変換部は、前記オーディオ信号に対して高速フーリエ変換を行う
（１）乃至（６）、（８）乃至（１９）のいずれかに記載の信号処理装置。
（８）  前記オーディオ信号を前記超高域の信号成分と前記超高域以外の信号成分とに帯域分割する帯域分割部と、
前記信号処理部により前記超高域の前記定常的な信号成分が低減された前記オーディオ信号を、前記帯域分割部により前記オーディオ信号が帯域分割されて得られた前記オーディオ信号の前記超高域以外の信号成分と合成する合成部と
をさらに備え、
前記変換部は、前記帯域分割部により前記オーディオ信号が帯域分割されて得られた前記オーディオ信号の前記超高域の信号成分を直交変換し、
前記解析部は、前記変換部により直交変換された前記オーディオ信号の前記超高域の信号成分を解析し、前記超高域の前記定常的な信号成分を推定し、
前記信号処理部は、前記帯域分割部により前記オーディオ信号が帯域分割されて得られた前記オーディオ信号の前記超高域の信号成分に対して、前記解析部の解析により推定された前記超高域の前記定常的な信号成分を低減させる信号処理を行い、
前記合成部は、前記信号処理部により前記超高域の前記定常的な信号成分が低減された前記オーディオ信号の前記超高域の信号成分を、前記帯域分割部により前記オーディオ信号が帯域分割されて得られた前記オーディオ信号の前記超高域以外の信号成分と合成する
（１）乃至（７）、（９）乃至（１９）のいずれかに記載の信号処理装置。
（９）  前記帯域分割部は、前記オーディオ信号から前記超高域の信号成分を抽出するハイパスフィルタと、前記オーディオ信号から前記超高域以外の信号成分を抽出するローパスフィルタとを有する
（１）乃至（８）、（１０）乃至（１９）のいずれかに記載の信号処理装置。
（１０）  前記信号処理部により前記超高域の前記定常的な信号成分が低減された前記オーディオ信号から前記超高域以外の信号成分を除去するハイパスフィルタをさらに備え、
前記合成部は、前記ハイパスフィルタにより前記超高域以外の信号成分が除去された前記オーディオ信号を、前記帯域分割部により前記オーディオ信号が帯域分割されて得られた前記オーディオ信号の前記超高域以外の信号成分と合成する
（１）乃至（９）、（１１）乃至（１９）のいずれかに記載の信号処理装置。
（１１）  前記信号処理部は、前記オーディオ信号の増幅量に応じて、前記超高域の前記定常的な信号成分を低減させる
（１）乃至（１０）、（１２）乃至（１９）のいずれかに記載の信号処理装置。
（１２）  前記信号処理部は、前記オーディオ信号の増幅量に応じたカットオフ周波数を有するローパスフィルタにより前記超高域の前記定常的な信号成分を低減させる
（１）乃至（１１）、（１３）乃至（１９）のいずれかに記載の信号処理装置。
（１３）  前記信号処理部は、カット周波数以上の帯域において前記オーディオ信号の増幅量に応じた傾きの周波数特性を有するローパスフィルタにより前記超高域の前記定常的な信号成分を低減させる
（１）乃至（１２）、（１４）乃至（１９）のいずれかに記載の信号処理装置。
（１４）  前記信号処理部は、前記オーディオ信号の増幅量に応じたゲインを有するTSF（Treble Shelving Filter）により前記超高域の前記定常的な信号成分を低減させる
（１）乃至（１３）、（１５）乃至（１９）のいずれかに記載の信号処理装置。
（１５）  前記信号処理部は、前記超高域に対して前記オーディオ信号の増幅量に応じたスレッショルドを有するリミッタにより前記超高域の前記定常的な信号成分を低減させる
（１）乃至（１４）、（１６）乃至（１９）のいずれかに記載の信号処理装置。
（１６）  前記解析部は、前記オーディオ信号の、前記オーディオ信号の再生時間の内、所定の一部の時間に相当する部分データを解析し、前記超高域の前記定常的な信号成分を推定する
（１）乃至（１５）、（１７）乃至（１９）のいずれかに記載の信号処理装置。
（１７）  前記解析部は、前記オーディオ信号の、前記オーディオ信号の再生時間の先頭の前記一部の時間に相当する部分データを解析し、前記超高域の前記定常的な信号成分を推定する
（１）乃至（１６）、（１８）、（１９）のいずれかに記載の信号処理装置。
（１８）  前記解析部は、前記オーディオ信号の、前記オーディオ信号の再生時間の途中の前記一部の時間に相当する部分データを解析し、前記超高域の前記定常的な信号成分を推定し、
前記信号処理部は、必要な場合のみ、低減させる前記定常的な信号成分を、前記解析部の最新の解析結果に応じて更新する
（１）乃至（１７）、（１９）のいずれかに記載の信号処理装置。
（１９）  前記信号処理部により前記超高域の前記定常的な信号成分が低減された前記オーディオ信号を符号化する符号化部をさらに備える
（１）乃至（１８）のいずれかに記載の信号処理装置。
（２０）  オーディオ信号を直交変換し、
直交変換された前記オーディオ信号を解析し、超高域の定常的な信号成分を推定し、
前記オーディオ信号に対して、推定された前記超高域の前記定常的な信号成分を低減させる信号処理を行う
信号処理方法。
【符号の説明】
【０１９７】
１００  再生装置，  １０１  記憶部，  １０２  周波数軸変換部，  １０３  超高域定常的雑音解析部，  １０４  ディレイバッファ，  １０５  超高域定常的雑音低減部，  １０６  DAC，  １０７  増幅部，  １０８  スピーカ，  ２００  再生装置，  ２０１  記憶部，  ２０２  HPF，  ２０３  周波数軸変換部，  ２０４  超高域定常的雑音解析部，  ２０５  ディレイバッファ，  ２０６  超高域定常的雑音低減部，  ２０７  HPF，  ２０８  LPF，  ２０９  ディレイバッファ，  ２１０  演算部，  ２１１  DAC，  ２１２  増幅部，  ２１３  スピーカ，  ３００  送信装置，  ３０１  記憶部，  ３０２  HPF，  ３０３  周波数軸変換部，  ３０４  超高域定常的雑音解析部，  ３０５  ディレイバッファ，  ３０６  超高域定常的雑音低減部，  ３０７  HPF，  ３０８  LPF，  ３０９  ディレイバッファ，  ３１０  演算部，  ３１１  符号化部，  ３１２  送信部，  ３５０  受信装置，  ３５１  受信部，  ３５２  復号部，  ３５３  DAC，  ３５４  増幅部，  ３５５  スピーカ，  ５００  再生装置，  ５０１  記憶部，  ５０２  周波数軸変換部，  ５０３  入力部，  ５０４  超高域定常的雑音解析部，  ５０５  ボリューム制御データベース，  ５０６  ディレイバッファ，  ５０７  超高域定常的雑音低減部，  ５０８  DAC，  ５０９  増幅部，  ５１０  スピーカ，  ９００  コンピュータ
【図１】
2015149690.tif 000003
【図２】
2015149690.tif 000004
【図３】
2015149690.tif 000005
【図４】
2015149690.tif 000006
【図５】
2015149690.tif 000007
【図６】
2015149690.tif 000008
【図７】
2015149690.tif 000009
【図８】
2015149690.tif 000010
【図９】
2015149690.tif 000011
【図１０】
2015149690.tif 000012
【図１１】
2015149690.tif 000013
【図１２】
2015149690.tif 000014
【図１３】
2015149690.tif 000015
【図１４】
2015149690.tif 000016
【図１５】
2015149690.tif 000017
【図１６】
2015149690.tif 000018
【図１７】
2015149690.tif 000019
【図１８】
2015149690.tif 000020
【図１９】
2015149690.tif 000021